(57)【要約】【課題】油絵の複製物として、より原画に近い印刷物を効率的に得る。【解決手段】放射線硬化型インクジェットプリンタを用いて、以下のように印刷物を作製する。まず、基材上に白色インク・クリアインクを吐出し（ステップＳ５００：第１吐出工程）、その吐出したインクをすぐに放射線で硬化させる（ステップＳ５１０：第１硬化工程）。このようにして、基材全面への白色インク・クリアインクの塗布を、それらのインクの濃度が充分になるまで繰り返す（ステップＳ５３０：追加吐出工程、ステップＳ５４０：追加硬化工程）。その後、直前のステップで硬化したインク上にカラーインクを吐出し（ステップＳ５５０：第２吐出工程）、その吐出したインクをすぐに放射線で硬化させる（ステップＳ５６０：第２硬化工程）。【選択図】図１３
2014004786.tif 000002
【特許請求の範囲】
【請求項１】
放射線硬化型インクジェット印刷装置を用いて行われる印刷物の製造方法であって、
基材上に白色インクおよびクリアインクを吐出する第１吐出工程と、
前記白色インクと前記クリアインクとの混合物を含む下地層が形成されるよう、前記第１吐出工程で吐出された白色インクおよびクリアインクを放射線によって硬化させる第１硬化工程と、
前記下地層上にカラーインクを吐出する第２吐出工程と、
前記第２吐出工程で吐出されたカラーインクを放射線によって硬化させる第２硬化工程と
を含むことを特徴とする、印刷物の製造方法。
【請求項２】
前記第１硬化工程と前記第２吐出工程との間に、
前記混合物上に前記白色インクまたは前記クリアインクの少なくとも一方を吐出する追加吐出工程と、
前記下地層としての一部の層が形成されるよう、前記追加吐出工程で吐出されたインクを放射線によって硬化させる追加硬化工程と
を更に含むことを特徴とする、請求項１に記載の印刷物の製造方法。
【請求項３】
前記追加吐出工程と前記追加硬化工程とが複数回行われることを特徴とする、請求項２に記載の印刷物の製造方法。
【請求項４】
前記追加吐出工程の前に、前記追加吐出工程によって吐出されるべきインクの吐出量を設定するインク吐出量設定工程を更に含むことを特徴とする、請求項２または３に記載の印刷物の製造方法。
【請求項５】
前記第１吐出工程の開始直後に前記第１硬化工程が開始されることにより、前記第１吐出工程と前記第１硬化工程とは同時並行的に行われ、
前記第２吐出工程の開始直後に前記第２硬化工程が開始されることにより、前記第２吐出工程と前記第２硬化工程とは同時並行的に行われることを特徴とする、請求項１から４までのいずれか１項に記載の印刷物の製造方法。
【請求項６】
前記放射線硬化型インクジェット印刷装置は、放射線として、インクが硬化する波長の紫外線を用いていることを特徴とする、請求項１から５までのいずれか１項に記載の印刷物の製造方法。
【請求項７】
前記基材は、絵画用のカンバスであることを特徴とする、請求項１から６までのいずれか１項に記載の印刷物の製造方法。
【請求項８】
放射線硬化型インクジェット印刷装置を用いて製造される印刷物であって、
基材と、
前記基材上に吐出された白色インクとクリアインクとの混合物を放射線によって硬化させることによって形成された下地層と、
前記下地層上に吐出されたカラーインクを放射線によって硬化させることによって形成されたカラー画像層と
からなることを特徴とする、印刷物。
【請求項９】
前記下地層には、前記混合物上に吐出されたインクであって白色インクまたはクリアインクの少なくとも一方を含むインクを硬化させることによって形成された層が含まれていることを特徴とする、請求項８に記載の印刷物。
【請求項１０】
前記下地層には、前記混合物上に吐出されたインクであって白色インクまたはクリアインクの少なくとも一方を含むインクを硬化させることによって形成された層が複数含まれていることを特徴とする、請求項８に記載の印刷物。
【請求項１１】
前記基材は、絵画用のカンバスであることを特徴とする、請求項８から１０までのいずれか１項に記載の印刷物。
【請求項１２】
白色インク、クリアインク、および複数のカラーインクを吐出することができるように構成された放射線硬化型インクジェット印刷装置であって、
前記白色インクと前記クリアインクとを吐出するための第１のインク吐出部と、
前記カラーインクを吐出するための第２のインク吐出部と、
吐出されたインクを放射線によって硬化させるためのインク硬化部と
を備え、
前記第２のインク吐出部による前記カラーインクの吐出前に、前記第１のインク吐出部は、前記白色インクと前記クリアインクとを基材上に吐出し、かつ、前記インク硬化部は、前記第１のインク吐出部によって吐出された白色インクおよびクリアインクを放射線によって硬化させることを特徴とする、放射線硬化型インクジェット印刷装置。
【請求項１３】
前記第１のインク吐出部と前記第２のインク吐出部と前記インク硬化部とは、一列に配置され、かつ、一体的に前記基材の上方を移動できるように構成されていることを特徴とする、請求項１２に記載の放射線硬化型インクジェット印刷装置。
【発明の詳細な説明】
【技術分野】
【０００１】
本発明は、印刷物の製造方法に関し、詳しくは、油絵の複製に好適な、放射線硬化型インクジェット印刷装置を用いて行われる印刷物の製造方法に関する。
【背景技術】
【０００２】
従来より、インクを基材（印刷用紙など）に噴射して印字するインクジェット方式の印刷装置（以下、「インクジェットプリンタ」という。）が知られている。インクジェットプリンタにおいては、一般的には水性インクが用いられている。しかしながら、近年、ＵＶインク（紫外線硬化インク）を用いた紫外線硬化型インクジェットプリンタの開発が進展している。紫外線硬化型インクジェットプリンタでは、基材に吐出したＵＶインクにＵＶ光（紫外線）を照射することによって、印刷が行われる。
【０００３】
ＵＶインクには、ＵＶ光が照射されることによって瞬時に硬化乾燥するという特徴がある。このようにＵＶインクは速乾性に優れているので、紫外線硬化型インクジェットプリンタを使用することにより、生産性が向上するという効果や、例えばＰＥＴ（ポリエチレンテレフタレート）フィルムのようにインクを吸収しない基材に対しても印刷可能になるという効果が得られる。それ故、近年、様々な用途の印刷に紫外線硬化型インクジェットプリンタが採用されている。例えば美術館等においては従来より絵画の複製が行われることがあり、そのような絵画の複製にも紫外線硬化型インクジェットプリンタが採用されることがある。
【０００４】
なお、本件発明に関連して、以下の先行技術文献が知られている。実開平７−４１５５１号公報には、印刷物等の表面にコーティング処理（凹凸が残存するようなコーティング処理）を施すことによって油絵風の雰囲気のある画像を得るという技術が開示されている。特開２００２−３８０６３号公報には、白色インクを記録媒体の画像形成可能な領域の全面に打ち込むことによって白色以外の地色を持つ記録媒体に対して地色の影響を受けることのない印刷を可能にするという技術が開示されている。特開２００６−１３１８３７号公報には、重合性基を有するモノマーを含有するインク組成物を用いて記録材に画像を形成することによって保存安定性に優れた絵画を得るという技術が開示されている。
【先行技術文献】
【特許文献】
【０００５】
【特許文献１】実開平７−４１５５１号公報
【特許文献２】特開２００２−３８０６３号公報
【特許文献３】特開２００６−１３１８３７号公報
【発明の概要】
【発明が解決しようとする課題】
【０００６】
ところが、油絵の複製画を作製するためにインクジェットプリンタを用いて絵画用のカンバスに直接に印刷が行われると、カンバスの目地（カンバスを構成する部材間の隙間や継ぎ目の部分）にインクが充分に入り込まず、その結果、作製された印刷物の絵柄内に図１７に示すように白色の細点が残ってしまう。なお、図１７では、カンバスを符号７０で示し、白色の細点を符号８０で示している。また、絵を見る角度（鑑賞者の視線とカンバスの面との角度）によっては、カンバス全体に白点がちりばめられているように鑑賞者に視認されることもある。仮に白色インクを下地として印刷が行われる場合、白色の細点が鑑賞者に視認されないようにするためには、白色インクの充分な重ね塗りが必要となる。しかしながら、多量の白色インクが重ね塗られた場合、インクの光沢感が必要以上に高められ、油絵が本来有する光沢感よりも不自然に高い光沢感が得られる。このため、鑑賞者は、複製物から油絵の持つ雰囲気を感じ取ることができない。
【０００７】
以上のようなことから、従来においては、油絵の本来有する雰囲気を感じ取ることのできる複製物を得るためには、印刷前に予めカンバスに対して加工（例えばカンバスに凹凸を設ける加工）が行われたり、印刷後にプリンタとは別の手段で印刷物に対して加工（例えば絵柄の上からニスを塗るなどして「てかり感」を出すための加工）が行われたりしている。このように、従来においては、インクジェットプリンタでの処理のみによって油絵のリアルな複製物（原画に近い複製物）を得ることは実現されていない。
【０００８】
そこで本発明は、油絵の複製物として、より原画に近い印刷物を効率的に得ることを目的とする。
【課題を解決するための手段】
【０００９】
第１の発明は、放射線硬化型インクジェット印刷装置を用いて行われる印刷物の製造方法であって、
基材上に白色インクおよびクリアインクを吐出する第１吐出工程と、
前記白色インクと前記クリアインクとの混合物を含む下地層が形成されるよう、前記第１吐出工程で吐出された白色インクおよびクリアインクを放射線によって硬化させる第１硬化工程と、
前記下地層上にカラーインクを吐出する第２吐出工程と、
前記第２吐出工程で吐出されたカラーインクを放射線によって硬化させる第２硬化工程と
を含むことを特徴とする。
【００１０】
第２の発明は、第１の発明において、
前記第１硬化工程と前記第２吐出工程との間に、
前記混合物上に前記白色インクまたは前記クリアインクの少なくとも一方を吐出する追加吐出工程と、
前記下地層としての一部の層が形成されるよう、前記追加吐出工程で吐出されたインクを放射線によって硬化させる追加硬化工程と
を更に含むことを特徴とする。
【００１１】
第３の発明は、第２の発明において、
前記追加吐出工程と前記追加硬化工程とが複数回行われることを特徴とする。
【００１２】
第４の発明は、第２または第３の発明において、
前記追加吐出工程の前に、前記追加吐出工程によって吐出されるべきインクの吐出量を設定するインク吐出量設定工程を更に含むことを特徴とする。
【００１３】
第５の発明は、第１から第４までのいずれかの発明において、
前記第１吐出工程の開始直後に前記第１硬化工程が開始されることにより、前記第１吐出工程と前記第１硬化工程とは同時並行的に行われ、
前記第２吐出工程の開始直後に前記第２硬化工程が開始されることにより、前記第２吐出工程と前記第２硬化工程とは同時並行的に行われることを特徴とする。
【００１４】
第６の発明は、第１から第５までのいずれかの発明において、
前記放射線硬化型インクジェット印刷装置は、放射線として、インクが硬化する波長の紫外線を用いていることを特徴とする。
【００１５】
第７の発明は、第１から第６までのいずれかの発明において、
前記基材は、絵画用のカンバスであることを特徴とする。
【００１６】
第８の発明は、放射線硬化型インクジェット印刷装置を用いて製造される印刷物であって、
基材と、
前記基材上に吐出された白色インクとクリアインクとの混合物を放射線によって硬化させることによって形成された下地層と、
前記下地層上に吐出されたカラーインクを放射線によって硬化させることによって形成されたカラー画像層と
からなることを特徴とする。
【００１７】
第９の発明は、第８の発明において、
前記下地層には、前記混合物上に吐出されたインクであって白色インクまたはクリアインクの少なくとも一方を含むインクを硬化させることによって形成された層が含まれていることを特徴とする。
【００１８】
第１０の発明は、第８の発明において、
前記下地層には、前記混合物上に吐出されたインクであって白色インクまたはクリアインクの少なくとも一方を含むインクを硬化させることによって形成された層が複数含まれていることを特徴とする。
【００１９】
第１１の発明は、第８から第１０までのいずれかの発明において、
前記基材は、絵画用のカンバスであることを特徴とする。
【００２０】
第１２の発明は、白色インク、クリアインク、および複数のカラーインクを吐出することができるように構成された放射線硬化型インクジェット印刷装置であって、
前記白色インクと前記クリアインクとを吐出するための第１のインク吐出部と、
前記カラーインクを吐出するための第２のインク吐出部と、
吐出されたインクを放射線によって硬化させるためのインク硬化部と
を備え、
前記第２のインク吐出部による前記カラーインクの吐出前に、前記第１のインク吐出部は、前記白色インクと前記クリアインクとを基材上に吐出し、かつ、前記インク硬化部は、前記第１のインク吐出部によって吐出された白色インクおよびクリアインクを放射線によって硬化させることを特徴とする。
【００２１】
第１３の発明は、第１２の発明において、
前記第１のインク吐出部と前記第２のインク吐出部と前記インク硬化部とは、一列に配置され、かつ、一体的に前記基材の上方を移動できるように構成されていることを特徴とする。
【発明の効果】
【００２２】
上記第１の発明によれば、印刷物の作製の際、カラー画像を形成するために基材にカラーインクが塗布される前に、白色インクとクリアインクとが基材に塗布されることによって下地層が形成される。このように、白色インクだけではなくクリアインクをも用いて印刷物の下地層が形成される。このため、印刷物として油絵の複製画の作製が行われた場合に、油絵特有の「てかり感（質感）」，「光沢感」，および「つや感」が適度に得られ、油絵の原画に近い印刷物が得られる。また、カラーインクが塗布される際に基材にインクが浸透することが防止されるので、絵画中の細線などの微細な部分の再現性が向上する。さらに、下地作製からカラー画像の印刷までの処理が１台の放射線硬化型インクジェットプリンタで行われることとなり、油絵の本来有する雰囲気を得るために印刷前後に従来行われていた加工処理が不要となる。これにより、従来よりも効率的に油絵の複製画を作製することが可能となる。以上のように、油絵の複製物として、より原画に近い印刷物を効率的に得ることが可能となる。
【００２３】
上記第２の発明によれば、第１吐出工程・第１硬化工程で白色インクおよびクリアインクが基材に塗布された後、白色インクまたはクリアインクの少なくとも一方が更に塗布される。このため、下地層としての白色インクおよびクリアインクの濃度が高められる。これにより、布製の基材が採用されている場合に、目地にインクが充分に入り込まないことに起因して生じていた白色の細点が鑑賞者に視認されないようにすることが可能となる。
【００２４】
上記第３の発明によれば、白色インクおよびクリアインクの濃度が充分な濃度となるよう、白色インクおよびクリアインクを基材に複数回塗布することが可能となる。これにより、布製の基材が採用されている場合に、上述した白色の細点がより確実に鑑賞者に視認されないようにすることが可能となる。
【００２５】
上記第４の発明によれば、追加吐出工程によって吐出されるべき白色インクおよびクリアインクの吐出量をそれぞれ設定することが可能となる。このため、布製の基材が採用されている場合に、基材の布目に応じて（例えば、布目の粗さなどの表面状態を考慮して）好適な下地を作製することが可能となる。
【００２６】
上記第５の発明によれば、各インクは吐出された後に速やかに硬化する。これにより、油絵の複製画を作製するための印刷をより高速に行うことが可能となる。
【００２７】
上記第６の発明によれば、紫外線硬化型インクジェット印刷装置を用いて上記第１から第５までのいずれかの発明と同様の効果を得ることができる。
【００２８】
上記第７の発明によれば、カンバスが基材として用いられるので、油絵の複製物として、より原画らしい雰囲気を有する印刷物が得られる。
【００２９】
上記第８の発明によれば、放射線硬化型インクジェット印刷装置を用いて製造される印刷物に関し、基材と実際の絵柄となるカラー画像層との間には、白色インクとクリアインクとの混合物からなる下地層が形成されている。すなわち、白色インクだけではなくクリアインクをも用いて印刷物の下地層が形成されている。従って、印刷物が油絵の複製画である場合に、油絵特有の「てかり感（質感）」，「光沢感」，および「つや感」が適度に得られる。また、この印刷物の製造工程において、カラーインクが塗布される際に基材にインクが浸透することが防止される。このため、絵画中の細線などの微細な部分の再現性が向上する。以上より、油絵の複製物として、より原画に近い印刷物が実現される。
【００３０】
上記第９の発明によれば、上記第２の発明と同様の理由により、目地にインクが充分に入り込まないことに起因して生じていた白色の細点が鑑賞者に視認されることのない、布製の基材を用いた印刷物（油絵の複製物）が実現される。
【００３１】
上記第１０の発明によれば、上記第３の発明と同様の理由により、上述した白色の細点がより確実に鑑賞者に視認されることのない、布製の基材を用いた印刷物（油絵の複製物）が実現される。
【００３２】
上記第１１の発明によれば、カンバスが基材として用いられるので、油絵の複製物として、より原画らしい雰囲気を有する印刷物が得られる。
【００３３】
上記第１２の発明によれば、上記第１の発明と同様の効果が得られる。
【００３４】
上記第１３の発明によれば、基材の上方を第１のインク吐出部と第２のインク吐出部とインク硬化部とからなるユニットを移動させることによって、白色インクおよびクリアインクの吐出後にそれら白色インクおよびクリアインクを速やかに硬化させることが可能となり、また、カラーインクの吐出後にそのカラーインクを速やかに硬化させることが可能となる。
【図面の簡単な説明】
【００３５】
【図１】本発明の一実施形態に係る印刷システムの全体構成を示すブロック図である。
【図２】上記実施形態における紫外線硬化型インクジェットプリンタの外観斜視図である。
【図３】上記実施形態において、インクヘッドユニットの構成を模式的に示す図である。
【図４】上記実施形態における紫外線硬化型インクジェットプリンタの機能構成について説明するためのブロック図である。
【図５】上記実施形態において、インクヘッドユニットの横方向への移動について説明するための図である。
【図６】上記実施形態において、インクヘッドユニットの横方向への移動について説明するための図である。
【図７】上記実施形態において、Ｙバーの縦方向への移動について説明するための図である。
【図８】上記実施形態において、印刷物作製の概略手順を示すフローチャートである。
【図９】上記実施形態において、下地作製処理の手順を示すフローチャートである。
【図１０】上記実施形態において、下地作製処理の終了時点における印刷物の断面を示す図である。
【図１１】上記実施形態において、絵画画像印刷処理の手順を示すフローチャートである。
【図１２】上記実施形態において、絵画画像印刷処理の終了時点における印刷物の断面を示す図である。
【図１３】上記実施形態において、下地作製処理と絵画画像印刷処理とを簡単にまとめたフローチャートである。
【図１４】従来の印刷物の断面図の一例である。
【図１５】従来の印刷物の断面図の一例である。
【図１６】上記実施形態の第１の変形例における下地作製処理の手順を示すフローチャートである。
【図１７】従来例について説明するための図である。
【発明を実施するための形態】
【００３６】
以下、添付図面を参照しつつ、本発明の一実施形態について説明する。
【００３７】
＜１．構成＞
図１は、本発明の一実施形態に係る印刷システムの全体構成を示すブロック図である。この印刷システムは、紫外線硬化型インクジェットプリンタ１０およびパソコン２０によって構成されている。パソコン２０は、基材に印刷されるべきデータである印刷データＰＤを紫外線硬化型インクジェットプリンタ１０に与える。紫外線硬化型インクジェットプリンタ１０は、パソコン２０から送られた印刷データＰＤに基づいて、基材に対して印刷を行う。なお、本実施形態においては、油絵の複製物（複製画像）としての印刷物を得るために、紫外線硬化型インクジェットプリンタ１０が用いられている。また、本実施形態においては、絵画用のカンバスが基材として用いられている。
【００３８】
図２は、紫外線硬化型インクジェットプリンタ１０の外観斜視図である。この紫外線硬化型インクジェットプリンタ１０は、テーブル１１とＹバー１２とを有している。テーブル１１は、印刷時に印刷対象の基材（本実施形態ではカンバス）を支持するためのものである。テーブル１１には吸着穴（不図示）が設けられており、印刷時に内部のバキュームをオン状態にすることによって基材がテーブル１１上で固定される。Ｙバー１２は、内部にインクヘッドユニット１３を備えている。インクヘッドユニット１３は、カラーインク，白色インク，およびクリアインクを吐出するためのインクヘッド群３０と、インクヘッド群３０から吐出されたインクを紫外線によって硬化させるためのＵＶランプ４０Ｌ，４０Ｒとによって構成されている。インクヘッドユニット１３は、Ｙバー１２の内部において図２で符号Ｄ１の矢印で示す方向に移動可能なように構成されている。インクヘッドユニット１３がＹバー１２内を移動しながらインクの吐出と紫外線照射によるインクの硬化とを行うことによって、基材への印刷が行われる。なお、以下においては、説明の便宜上、図２で符号Ｄ１の矢印で示す方向のことを「横方向」といい、図２で符号Ｄ２の矢印で示す方向のことを「縦方向」という。また、Ｙバー１２に着目したとき、図２で符号Ａ１で示す側を「右側」といい、図２で符号Ａ２で示す側を「左側」という。Ｙバー１２は、縦方向に移動可能なように構成されている。基材に対して１行分の印刷が行われる都度Ｙバー１２が縦方向に１行分ずつ移動することによって、基材全面への印刷が行われる。
【００３９】
図３は、インクヘッドユニット１３の構成を模式的に示す図である。上述したように、インクヘッドユニット１３は、インクヘッド群３０とＵＶランプ４０Ｌ，４０Ｒとによって構成されている。ＵＶランプ４０Ｌはインクヘッド群３０の左側に設けられ、ＵＶランプ４０Ｒはインクヘッド群３０の右側に設けられている。なお、以下においては、ＵＶランプ４０Ｌ，４０Ｒを総称してＵＶランプ４０ともいう。ＵＶランプ４０としては、例えばＬＥＤ（発光ダイオード）が採用される。インクヘッド群３０には、図３に示すように、４つのカラーインク用ヘッド３１と、白色インク用ヘッド３２と、クリアインク用ヘッド３３とが含まれている。カラーインク用ヘッド３１は、それぞれシアンインク，マゼンダインク，イエローインク，およびブラックインクを吐出するための４つのインクヘッド３１Ｃ，３１Ｍ，３１Ｙ，および３１Ｋによって構成されている。白色インク用ヘッド３２は、白色インクを吐出するためのインクヘッドである。クリアインク用ヘッド３３は、クリアインクを吐出するためのインクヘッドである。なお、クリアインクは透明なアクリル樹脂インクであって、インク（クリアインク）塗布直後にＵＶランプを照射することで、ツヤ消し感が得られる。４つのカラーインク用ヘッド３１Ｃ，３１Ｍ，３１Ｙ，および３１Ｋ，白色インク用ヘッド３２，およびクリアインク用ヘッド３３はそれぞれ独立して制御される。本実施形態においては、白色インク用ヘッド３２およびクリアインク用ヘッド３３によって第１のインク吐出部が実現され、カラーインク用ヘッド３１によって第２のインク吐出部が実現され、ＵＶランプ４０によってインク硬化部が実現されている。
【００４０】
なお、本実施形態においてはカラーインクはシアンインク，マゼンダインク，イエローインク，およびブラックインクによって構成されているが、本発明はこれに限定されない。例えば、上記４色のインクに加えて特色インクがカラーインクに含まれる構成であっても良い。また、カラーインク用ヘッド３１，白色インク用ヘッド３２，およびクリアインク用ヘッド３３は典型的には図３に示すように一列に配置されるが、本発明はこれに限定されず、白色インク用ヘッド３２およびクリアインク用ヘッド３３は必ずしもカラーインク用ヘッド３１と一列になるように配置されていなくても良い。
【００４１】
図４は、本実施形態における紫外線硬化型インクジェットプリンタ１０の機能構成について説明するためのブロック図である。図４に示すように、上述のＹバー１２，インクヘッドユニット１３，インクヘッド群３０，およびＵＶランプ４０は、紫外線硬化型インクジェットプリンタ１０の内部に設けられている制御部５０によって制御される。制御部５０は、パソコン２０から送られる印刷データＰＤに基づいて、制御信号Ｓ１によってＹバー１２の動作を制御し、制御信号Ｓ２によってインクヘッドユニット１３の動作を制御し、制御信号Ｓ３によってインクヘッド群３０の動作を制御し、制御信号Ｓ４によってＵＶランプ４０の動作を制御する。Ｙバー１２は、制御信号Ｓ１に基づいて、テーブル１１上を縦方向に移動する。インクヘッドユニット１３は、制御信号Ｓ２に基づいて、Ｙバー１２内を横方向に移動する。インクヘッド群３０は、制御信号Ｓ３に基づいて、基材へのインクの吐出を行う。ＵＶランプ４０は、制御信号Ｓ４に基づいて、点灯状態と消灯状態との間で状態の切り替えを行う。
【００４２】
＜２．紫外線硬化型インクジェットプリンタの基本的な動作＞
次に、紫外線硬化型インクジェットプリンタ１０の基本的な動作について説明する。図５および図６は、インクヘッドユニット１３の横方向への移動について説明するための図である。なお、図５および図６には、図２で符号Ｄ３で示す矢印の方向から見たインクヘッドユニット１３の状態の時間的な推移を示している。
【００４３】
インクヘッドユニット１３がＹバー１２内を右側から左側へと移動するとき、テーブル１１とインクヘッドユニット１３との位置関係は図５に示すように変化する。なお、このときのインクヘッドユニット１３の移動方向を以下「第１方向」という。ここで、白色インクおよびクリアインクに着目する。インクヘッドユニット１３が第１方向に移動するときに両者の吐出が行われると、クリアインク用ヘッド３３よりも白色インク用ヘッド３２の方が左側に配置されているので、カンバスへのインクの着弾の順序は「白色インク、クリアインク」となる。また、インクヘッドユニット１３が第１方向に移動している間、ＵＶランプ４０は点灯状態とされる。
【００４４】
インクヘッドユニット１３がＹバー１２内を左側から右側へと移動するとき、テーブル１１とインクヘッドユニット１３との位置関係は図６に示すように変化する。なお、このときのインクヘッドユニット１３の移動方向を以下「第２方向」という。ここで、白色インクおよびクリアインクに着目する。インクヘッドユニット１３が第２方向に移動するときに両者の吐出が行われると、白色インク用ヘッド３２よりもクリアインク用ヘッド３３の方が右側に配置されているので、カンバスへのインクの着弾の順序は「クリアインク、白色インク」となる。また、インクヘッドユニット１３が第２方向に移動している間、ＵＶランプ４０は点灯状態とされる。
【００４５】
なお、カラーインクに着目すると（図３参照）、インクヘッドユニット１３が第１方向に移動するときには、カンバスへのインクの着弾の順序は「シアンインク、マゼンダインク、イエローインク、ブラックインク」となり、インクヘッドユニット１３が第２方向に移動するときには、カンバスへのインクの着弾の順序は「ブラックインク、イエローインク、マゼンダインク、シアンインク」となる。
【００４６】
以上のように、カンバスへのインクの吐出は、インクヘッドユニット１３がＹバー１２内を移動しながら行われる。ここで、ＵＶランプ４０は、インクヘッド群３０の両側に設けられている。従って、インクの吐出が開始された直後にＵＶランプ４０を点灯させることによって、カンバスに吐出されたインクを瞬時に硬化乾燥させることができる。
【００４７】
図７は、Ｙバー１２の縦方向への移動について説明するための図である。なお、図７には、この紫外線硬化型インクジェットプリンタ１０を平面視したときのＹバー１２の状態の時間的な推移を示している。印刷開始時（ｔ３１）には、Ｙバー１２はテーブル１１の一端側に配置されている。印刷中においては、カンバスに対して１行分の印刷が行われる都度、Ｙバー１２は１行分だけ他端側へと縦方向に移動する。そして、カンバス全体への印刷終了時（ｔ３５）には、Ｙバー１２はテーブル１１の他端側に配置されている。但し、カンバスのサイズによっては、印刷終了時にＹバー１２がｔ３２，ｔ３３，ｔ３４などで示す位置に配置されることもある。以上のように、Ｙバー１２が縦方向に徐々に移動することによって、カンバス全体への印刷が行われる。
【００４８】
＜３．印刷物の作製手順（製造方法）＞
次に、紫外線硬化型インクジェットプリンタ１０を用いて行われる、油絵の複製画像としての印刷物の作製の手順（製造方法）について説明する。
【００４９】
＜３．１  概略＞
図８は、本実施形態における印刷物作製の概略手順を示すフローチャートである。まず、紫外線硬化型インクジェットプリンタ１０のテーブル１１上に絵画用のカンバスがセットされる（ステップＳ１０）。このとき、カンバスがテーブル１１に固定されるとともに、Ｙバー１２の高さの調整などが行われる。テーブル１１にカンバスがセットされた後、下地作製処理が行われる（ステップＳ２０）。下地作製処理では、より油絵の原画に近い印刷物が得られるよう、白色インクおよびクリアインクがカンバスに塗布される。なお、下地作製処理についての詳しい説明は後述する。下地作製処理の終了後、絵画画像印刷処理が行われる（ステップＳ３０）。絵画画像印刷処理では、カンバスへの絵画画像の印刷が行われる。なお、絵画画像印刷処理についての詳しい説明は後述する。絵画画像印刷処理の終了後、テーブル１１からカンバスが取り外される（ステップＳ４０）。以上の工程により、油絵の複製画像としての印刷物が作製される。
【００５０】
＜３．２  下地作製処理＞
図９は、下地作製処理の手順を示すフローチャートである。下地作製処理の開始後、まず、パソコン２０から紫外線硬化型インクジェットプリンタ１０に対して、下地用印刷データが投入される（ステップＳ２００）。この下地用印刷データは、典型的には、カンバスのサイズの全面一色（例えば黒色）のデータである。但し、下地用印刷データが何色のデータであっても、この下地作製処理においては、カラーインクがカンバスに吐出されることはなく、白色インクおよびクリアインクのみがカンバスに吐出される。
【００５１】
次に、インクの吐出量の設定が行われる（ステップＳ２１０）。詳しくは、オペレータ（この紫外線硬化型インクジェットプリンタ１０の操作者）が、カンバスの布目に応じて、白色インクおよびクリアインクの吐出量を設定する。一般的には、カンバスの布目が粗いほど白色インクおよびクリアインクの吐出量を大きくし、カンバスの布目が細かいほど白色インクおよびクリアインクの吐出量を少なくするのが好ましい。
【００５２】
インクの吐出量が設定された後、カンバスへの白色インクおよびクリアインクの吐出が行われる（ステップＳ２２０）。ステップＳ２２０では、インクヘッドユニット１３は第１方向に移動する。従って、上述したように、「白色インク、クリアインク」の順序でカンバスへのインクの着弾が行われる。次に、ＵＶランプ４０が点灯される（ステップＳ２３０）。これにより、ステップＳ２２０でカンバスに吐出された白色インクおよびクリアインクに紫外線が照射され、それら白色インクおよびクリアインクが硬化する。なお、ステップＳ２３０では、白色インクとクリアインクとが混ざった状態のインク（混合物）が硬化することになる。
【００５３】
ところで、上述したように、カンバスへのインクの吐出はインクヘッドユニット１３が移動しながら行われる。従って、カンバスに吐出されたインクを硬化させるために、ステップＳ２３０におけるＵＶランプ４０の点灯は、白色インクおよびクリアインクの吐出開始直後に行われる。そして、インクヘッドユニット１３の移動中、カンバスへのインク（白色インクおよびクリアインク）の吐出もＵＶランプ４０によるインクの硬化も行われる。すなわち、ステップＳ２２０の処理とステップＳ２３０の処理は同時並行的に行われる。但し、処理の開始・終了タイミングが、ステップＳ２３０よりもステップＳ２２０の方がわずかに早い。ステップＳ２２０およびステップＳ２３０が終了すると、テーブル１１とインクヘッドユニット１３との位置関係は、図５でのｔ１５における状態となる。このとき、インクヘッドユニット１３はＹバー１２内の左端に位置しており、インクの吐出は停止された状態かつＵＶランプ４０は消灯状態となっている。
【００５４】
次に、インクヘッドユニット１３が第２方向に移動しながらカンバスへの白色インクおよびクリアインクの吐出が行われる（ステップＳ２４０）。ステップＳ２４０では、「クリアインク、白色インク」の順序でカンバスへのインクの着弾が行われる。次に、ＵＶランプ４０が点灯される（ステップＳ２５０）。これにより、ステップＳ２４０でカンバスに吐出された白色インクおよびクリアインクに紫外線が照射され、それら白色インクおよびクリアインクが硬化する。なお、ステップＳ２３０と同様、ステップＳ２５０においても、白色インクとクリアインクとが混ざった状態のインク（混合物）が硬化することになる。また、ステップＳ２２０，Ｓ２３０の処理と同様、ステップＳ２４０の処理とステップＳ２５０の処理は同時並行的に行われる。但し、処理の開始・終了タイミングが、ステップＳ２５０よりもステップＳ２４０の方がわずかに早い。ステップＳ２４０およびステップＳ２５０が終了すると、テーブル１１とインクヘッドユニット１３との位置関係は、図６でのｔ２５における状態となる。このとき、インクヘッドユニット１３はＹバー１２内の右端に位置しており、インクの吐出は停止された状態かつＵＶランプ４０は消灯状態となっている。
【００５５】
ステップＳ２２０からステップＳ２５０までの処理によって１行分の印刷が終了すると、カンバス全面への印刷が終了したか否かが判定される（ステップＳ２６０）。なお、このステップＳ２６０での判定は、制御部５０（図４参照）によって行われる。判定の結果、カンバス全面への印刷が終了していればステップＳ２７０に進み、そうでなければステップＳ２６１に進む。ステップＳ２６１では、次の行の印刷が可能となるようＹバー１２が１行分だけ縦方向に移動する。ステップＳ２６１の終了後は、ステップＳ２２０に戻る。そして、カンバス全面への印刷が終了するまで、ステップＳ２２０からステップＳ２６１までの処理が繰り返される。
【００５６】
ステップＳ２７０では、カンバスに塗布された白色インクおよびクリアインクの濃度が充分であるか否かが判定される。なお、このステップＳ２７０での判定はオペレータ等によって行われる。判定の結果、白色インクおよびクリアインクの濃度が充分であれば下地作製処理は終了し、そうでなければステップＳ２７１に進む。ステップＳ２７１では、オペレータによって、紫外線硬化型インクジェットプリンタ１０に対して再印刷の指示が行われる。再印刷の指示が行われた場合には、ステップＳ２１０に戻り、インクの吐出量の設定が行われる。このとき、カンバスに塗布されている白色インクおよびクリアインクの濃度に応じて、インクの吐出量が設定されると良い。なお、再印刷の際には、白色インクのみが吐出されても良いし、クリアインクのみが吐出されても良いし、白色インクおよびクリアインクの双方が吐出されても良い。その後、インクの吐出量の設定に応じて、カンバス全面にインク（白色インクまたはクリアインクの少なくとも一方）が塗布される。なお、下地作製処理の終了後は、絵画画像印刷処理（図８のステップＳ３０）に進む。
【００５７】
以上のようにして、白色インクおよびクリアインクの濃度が充分になるまで、カンバス全面に対する白色インクおよびクリアインクの塗布が行われる。そして、下地作製処理の終了時点における印刷物の断面は、図１０に示すようなものとなる。すなわち、基材としてのカンバス７０の上に、白色インクとクリアインクとが混ざった状態のインク（混合物）が硬化乾燥することによりできた下地層７１が形成されている。
【００５８】
＜３．３  絵画画像印刷処理＞
下地作製処理の終了後、絵画画像印刷処理が行われる。図１１は、絵画画像印刷処理の手順を示すフローチャートである。絵画画像印刷処理の開始後、まず、パソコン２０から紫外線硬化型インクジェットプリンタ１０に対して、絵画画像用印刷データが投入される（ステップＳ３００）。この絵画画像用印刷データは、ここでは、複製対象の油絵の画像データである。
【００５９】
絵画画像用印刷データの投入後、カンバスへのカラーインクの吐出が行われる（ステップＳ３１０）。本実施形態においては、シアンインク、マゼンダインク、イエローインク、およびブラックインクがカンバスに吐出される。ステップＳ３１０では、インクヘッドユニット１３は第１方向に移動する。次に、ＵＶランプ４０が点灯される（ステップＳ３２０）。これにより、ステップＳ３１０でカンバスに吐出されたカラーインクに紫外線が照射され、カラーインクが硬化する。なお、ステップＳ３１０の処理とステップＳ３２０の処理は同時並行的に行われる。但し、処理の開始・終了タイミングが、ステップＳ３２０よりもステップＳ３１０の方がわずかに早い。ステップＳ３１０およびステップＳ３２０が終了すると、テーブル１１とインクヘッドユニット１３との位置関係は、図５でのｔ１５における状態となる。このとき、インクヘッドユニット１３はＹバー１２内の左端に位置しており、インクの吐出は停止された状態かつＵＶランプ４０は消灯状態となっている。
【００６０】
次に、インクヘッドユニット１３が第２方向に移動しながらカンバスへのカラーインクの吐出が行われる（ステップＳ３３０）。そして、ＵＶランプ４０が点灯される（ステップＳ３４０）。これにより、ステップＳ３３０でカンバスに吐出されたカラーインクに紫外線が照射され、カラーインクが硬化する。なお、ステップＳ３１０，Ｓ３２０の処理と同様、ステップＳ３３０の処理とステップＳ３４０の処理は同時並行的に行われる。但し、処理の開始・終了タイミングが、ステップＳ３４０よりもステップＳ３３０の方がわずかに早い。ステップＳ３３０およびステップＳ３４０が終了すると、テーブル１１とインクヘッドユニット１３との位置関係は、図６でのｔ２５における状態となる。このとき、インクヘッドユニット１３はＹバー１２内の右端に位置しており、インクの吐出は停止された状態かつＵＶランプ４０は消灯状態となっている。
【００６１】
ステップＳ３１０からステップＳ３４０までの処理によって１行分の印刷が終了すると、カンバス全面への印刷が終了したか否かが判定される（ステップＳ３５０）。なお、このステップＳ３５０での判定は、制御部５０によって行われる。判定の結果、カンバス全面への印刷が終了していれば絵画画像印刷処理は終了し、そうでなければステップＳ３５１に進む。ステップＳ３５１では、次の行の印刷が可能となるようＹバー１２が１行分だけ縦方向に移動する。ステップＳ３５１の終了後は、ステップＳ３１０に戻る。そして、カンバス全面への印刷が終了するまで、ステップＳ３１０からステップＳ３５１までの処理が繰り返される。なお、絵画画像印刷処理の終了後は、図８のステップＳ４０に進み、この紫外線硬化型インクジェットプリンタ１０のテーブル１１からカンバスが取り外される。
【００６２】
以上のようにして、カンバス全面に対するカラーインクの塗布が行われる。ところで、この絵画画像印刷処理においては、カラーインクは下地層の上層に塗布される。従って、絵画画像印刷処理終了時点における印刷物の断面は、図１２に示すようなものとなる。すなわち、基材としてのカンバス７０の上に白色インクとクリアインクとの混合物からなる下地層７１が形成され、その下地層７１の上にカラー画像層７２が形成されている。
【００６３】
＜３．４  処理手順のまとめ＞
下地作製処理から絵画画像印刷処理までの処理を簡単にまとめると以下のようになる。図１３は、下地作製処理と絵画画像印刷処理とを簡単にまとめたフローチャートである。まず、基材（本実施形態においてはカンバス）上に白色インクおよびクリアインクを吐出する第１吐出工程が行われ（ステップＳ５００）、次に、第１吐出工程で吐出された白色インクとクリアインクとの混合物を放射線（本実施形態においては紫外線）によって硬化させる第１硬化工程が行われる（ステップＳ５１０）。ここで、第１吐出工程と第１硬化工程は同時並行的に行われる。なお、ステップＳ５００は図９におけるステップＳ２２０，Ｓ２４０に相当し、ステップＳ５１０は図９におけるステップＳ２３０，Ｓ２５０に相当する。
【００６４】
ステップＳ５００およびステップＳ５１０によって基材全面への印刷が行われた後、基材に塗布された白色インクおよびクリアインクの濃度が充分であるか否かが判定される（ステップＳ５２０）。判定の結果、白色インクおよびクリアインクの濃度が充分であればステップＳ５５０に進み、そうでなければステップＳ５３０に進む。ステップＳ５５０に進む場合、ステップＳ５２０までの処理で基材上に形成された層が下地層となる。なお、ステップＳ５２０は図９におけるステップＳ２７０に相当する。
【００６５】
ステップＳ５３０に進むと、白色インクまたはクリアインクの少なくとも一方を吐出する追加吐出工程が行われる。追加吐出工程においては、白色インクのみが吐出されても良いし、クリアインクのみが吐出されても良いし、白色インクおよびクリアインクの双方が吐出されても良い。これについては、基材全面への印刷が終了したときの白色インクおよびクリアインクの濃度に応じて決定されれば良い。追加吐出工程における各インクの吐出量についても、基材全面への印刷が終了したときの白色インクおよびクリアインクの濃度に応じて決定されれば良い。追加吐出工程の終了後、追加吐出工程で吐出されたインクを放射線によって硬化させる追加硬化工程が行われる（ステップＳ５４０）。追加硬化工程の終了後、再度、基材に塗布された白色インクおよびクリアインクの濃度が充分であるか否かが判定される（ステップＳ５２０）。そして、その判定結果に応じて、処理はステップＳ５３０またはステップＳ５５０に進む。上述したように、ステップＳ５５０に進む場合、ステップＳ５２０までの処理で基材上に形成された層が下地層となる。なお、ステップＳ５３０（追加吐出工程）は図９における再印刷時のステップＳ２２０，Ｓ２４０に相当し、ステップＳ５４０（追加硬化工程）は図９における再印刷時のステップＳ２３０，Ｓ２５０に相当する。
【００６６】
ステップＳ５５０に進むと、下地層上にカラーインクを吐出する第２吐出工程が行われる。次に、第２吐出工程で吐出されたカラーインクを放射線によって硬化させる第２硬化工程が行われる（ステップＳ５６０）。ここで、第２吐出工程と第２硬化工程は同時並行的に行われる。なお、ステップＳ５５０は図１１におけるステップＳ３１０，Ｓ３３０に相当し、ステップＳ５６０は図１１におけるステップＳ３２０，Ｓ３４０に相当する。
【００６７】
以上のようにして、放射線硬化型インクジェット印刷装置としての紫外線硬化型インクジェットプリンタ１０を用いて、下地作製処理と絵画画像印刷処理とが行われる。
【００６８】
＜４．作製される印刷物の構造＞
ここで、以上のような手順（製造方法）で作製される印刷物の構造について説明する。本実施形態によって作製される印刷物の構造（図１２参照）は、図１４に示す印刷物の構造や図１５に示す印刷物の構造とは異なっている。図１４に示す印刷物は、カンバス（基材）７０上に下地層７５となるべき白色インク，コーティング層７６となるべきクリアインク，およびカラー画像層７２となるべきカラーインクが順次に塗布されて作製されたものである。図１５に示す印刷物は、カンバス（基材）７０上にコーティング層７６となるべきクリアインク，下地層７５となるべき白色インク，およびカラー画像層７２となるべきカラーインクが順次に塗布されて作製されたものである。これに対して、本実施形態によって作製される印刷物においては、カンバス（基材）７０上に白色インクとクリアインクとが混ぜ合わされて得られる下地層７１が形成され、その下地層７１の上にカラー画像層７２が形成されている。このように、本実施形態においては、カンバス（基材）７０と実際の絵柄となるカラー画像層７２との間に白色インクとクリアインクとの混合物からなる下地層７１が設けられた印刷物が得られる。
【００６９】
＜５．効果＞
本実施形態によれば、油絵の複製物（複製画像）としての印刷物が作製される際、まず基材としてのカンバス７０に白色インクとクリアインクとを塗布することにより下地層７１が形成され、その下地層７１の上層にカラー画像層７２が形成される。その結果、印刷物の断面は図１２に示したようなものとなる。このように、白色インクだけではなくクリアインクをも用いて下地層７１が形成されているので、油絵特有の「てかり感（質感）」，「光沢感」，および「つや感」が適度に得られ、油絵の複製物として、原画に近い印刷物を得ることが可能となる。また、カラーインクが塗布された際に、カンバスの布地上でインクが滲むことが防止されるので、絵画中の細線などの微細な部分の再現性が向上する。
【００７０】
また、カンバスに塗布された白色インクおよびクリアインクの濃度が充分な濃度となるまで何度でも白色インクおよびクリアインクをカンバスに塗布することができるので、従来の手法において目地にインクが充分に入り込まないことに起因して生じていた白色の細点（図１７参照）が鑑賞者に視認されないようにすることが可能となる。
【００７１】
さらに、インクジェットプリンタにおいてはインクの吐出量の制御が容易であるところ、本実施形態においては印刷前に白色インクおよびクリアインクのそれぞれについてインクの吐出量を設定することができるので、カンバスの布目に応じて（例えば、布目の粗さなどの表面状態を考慮して）好適な下地を作製することが可能となる。
【００７２】
さらにまた、下地作製からカラー画像の印刷までの処理を１台の紫外線硬化型インクジェットプリンタ１０で行うことが可能となるので、油絵の本来有する雰囲気を得るために印刷前後に従来行われていた加工処理が不要となる。これにより、従来よりも効率的に油絵の複製物の作製を行うことが可能となる。
【００７３】
＜６．変形例＞
以下、上記実施形態の変形例について説明する。
【００７４】
＜６．１  第１の変形例＞
上記実施形態においては、下地作製処理の際、白色インクおよびクリアインクのカンバス全面への塗布が、白色インクおよびクリアインクの濃度が充分になるまで繰り返されていた（図９参照）。しかしながら、本発明はこれに限定されない。ステップＳ２１０においてインクの吐出量が好適な量に設定されるのであれば、白色インクおよびクリアインクのカンバス全面への塗布が常に１回だけ行われるようにしても良い。すなわち、図９に示したフローチャートからステップＳ２７０，Ｓ２７１の処理を除いても良い（図１６参照）。
【００７５】
＜６．２  第２の変形例＞
また、上記実施形態においては、下地作製処理で再印刷の指示（図９のステップＳ２７１）がなされたとき、処理はステップＳ２１０に戻っていたが、本発明はこれに限定されない。ステップＳ２７１の後に処理がステップＳ２２０に戻るようにして、再印刷の際のインク（白色インクおよびクリアインク）の吐出量が最初の印刷の際のインクの吐出量と同じになるようにしても良い。
【００７６】
＜６．３  その他＞
上記実施形態においては、印刷物（油絵の複製画像）の作製が紫外線硬化型インクジェットプリンタ１０を用いて行われる例を挙げて説明したが、本発明はこれに限定されない。インクを瞬時に硬化乾燥させることができるものであれば、紫外線以外の放射線によってインクを硬化させるインクジェットプリンタが用いられていても良い。
【符号の説明】
【００７７】
１０…紫外線硬化型インクジェットプリンタ
１１…テーブル
１２…Ｙバー
１３…インクヘッドユニット
２０…パソコン
３０…インクヘッド群
３１…カラーインク用ヘッド
３２…白色インク用ヘッド
３３…クリアインク用ヘッド
４０，４０Ｌ，４０Ｒ…ＵＶランプ
５０…制御部
７０…カンバス（基材）
７１…下地層
７２…カラー画像層
【図１】
2014004786.tif 000003
【図２】
2014004786.tif 000004
【図３】
2014004786.tif 000005
【図４】
2014004786.tif 000006
【図５】
2014004786.tif 000007
【図６】
2014004786.tif 000008
【図７】
2014004786.tif 000009
【図８】
2014004786.tif 000010
【図９】
2014004786.tif 000011
【図１０】
2014004786.tif 000012
【図１１】
2014004786.tif 000013
【図１２】
2014004786.tif 000014
【図１３】
2014004786.tif 000015
【図１４】
2014004786.tif 000016
【図１５】
2014004786.tif 000017
【図１６】
2014004786.tif 000018
【図１７】
2014004786.tif 000019